(57)【要約】    【課題】      視聴者が携帯無線端末装置を持って宅内又は宅外から宅外又は宅内に移動した時に視聴者が同じシーンから継続して視聴することができるようにすること。    【解決手段】  携帯無線端末装置（携帯視聴デバイス）１１５の宅内宅外移動検出部３０３は、宅内又は宅外から宅外又は宅内に移動したことを検出して第１の切換指示信号又は第２の切換指示信号を生成する。スイッチング部３０４は、前記第１の切換指示信号又は前記第２の切換指示信号に基づいて送受信手段に接続するインターフェースをホーム無線インターフェース３０１又は公衆無線インターフェース３０２に切り換える。携帯無線端末装置１１５は、スイッチング部３０４による前記インターフェースの切換時にコンテンツ送信要求をホームコンテンツサーバ１１１に通知するコンテンツ送信要求通知手段を具備する。  【選択図】      図３
2006041761.tif 000002
【特許請求の範囲】
【請求項１】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、
前記ホームコンテンツサーバは、
当該ホームコンテンツサーバに接続された前記複数の携帯視聴デバイスを検出するデバイス検出部と、
前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、
前記携帯視聴デバイスに送信する前記コンテンツを管理する視聴コンテンツ管理部と、
前記コンテンツ送信要求を受けた時に送信先の前記携帯視聴デバイスの前記デバイス情報に基づいて前記コンテンツのパラメータを変更するコンテンツパラメータ制御部と、を具備し、
前記複数の携帯視聴デバイスの各々は、
当該携帯視聴デバイスが宅内又は宅外から宅外又は宅内に移動したことを検出して第１の切換指示信号又は第２の切換指示信号を生成する宅内宅外移動検出手段と、
前記ホームネットワークシステムと接続するためのホーム無線インターフェースと、
前記公衆無線ネットワークシステムを接続するための公衆無線インターフェースと、
前記ホーム無線インターフェース又は前記公衆無線インターフェースを介してデータ及び信号を送受信する送受信手段と、
前記第１の切換指示信号又は前記第２の切換指示信号に基づいて送受信手段に接続するインターフェースを前記ホーム無線インターフェース又は前記公衆無線インターフェースに切り換えるスイッチング部と、
前記ホームコンテンツサーバに接続された前記複数の携帯視聴デバイスを検出するデバイス検出部と、
前記デバイス情報を管理しているデバイス情報管理部と、
前記スイッチング部による前記インターフェースの切換時に前記コンテンツ送信要求を前記ホームコンテンツサーバに通知するコンテンツ送信要求通知手段と、を具備することを特徴とするマルチメディアコンテンツ提供システム。
【請求項２】
前記携帯視聴デバイスは、前記スイッチング部による前記インターフェースの切換時の直後に切換先の前記ホームネットワークシステム又は前記公衆無線ネットワークシステムに接続不能であった時において接続された後に自動的に前記コンテンツ送信要求を前記ホームコンテンツサーバに通知する通知再送手段と、を具備することを特徴とする請求項１に記載のマルチメディアコンテンツ提供システム。
【請求項３】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、
前記ホームコンテンツサーバは、
当該ホームコンテンツサーバに接続された前記複数の携帯視聴デバイスを検出するデバイス検出部と、
前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、
前記携帯視聴デバイスに送信する前記コンテンツ及びシーンを含むコンテンツ情報を管理する視聴コンテンツ管理部と、
前記コンテンツ送信要求を受けた時に送信先の前記携帯視聴デバイスの前記デバイス情報に基づいて前記コンテンツのパラメータを変更するコンテンツパラメータ制御部と、を具備し、
前記複数の携帯視聴デバイスの各々は、
当該携帯視聴デバイスが宅内又は宅外から宅外又は宅内に移動したことを検出して第１の切換指示信号又は第２の切換指示信号を生成する宅内宅外移動検出手段と、
前記ホームネットワークシステムと接続するためのホーム無線インターフェースと、
前記公衆無線ネットワークシステムを接続するための公衆無線インターフェースと、
前記ホーム無線インターフェース又は前記公衆無線インターフェースを介してデータ及び信号を送受信する送受信手段と、
前記第１の切換指示信号又は前記第２の切換指示信号に基づいて送受信手段に接続するインターフェースを前記ホーム無線インターフェース又は前記公衆無線インターフェースに切り換えるスイッチング部と、
前記ホームコンテンツサーバに接続された前記複数の携帯視聴デバイスを検出するデバイス検出部と、
前記デバイス情報を管理しているデバイス情報管理部と、
前記スイッチング部による前記インターフェースの切換時に前記コンテンツ送信要求を前記ホームコンテンツサーバに通知するコンテンツ送信要求通知手段と、
現在配信されている前記コンテンツ及び前記シーンを含む前記コンテンツ情報を管理する視聴コンテンツ管理部と、
前記コンテンツ送信要求の通知時に前記コンテンツ情報を前記ホームコンテンツサーバに通知するコンテンツ情報通知手段と、を具備することを特徴とするマルチメディアコンテンツ提供システム。
【請求項４】
前記携帯視聴デバイスは、前記スイッチング部による前記インターフェースの切換時の直後に切換先の前記ホームネットワークシステム又は前記公衆無線ネットワークシステムに接続不能であった時において接続された後に自動的に前記コンテンツ送信要求及び前記コンテンツ情報を前記ホームコンテンツサーバに通知する通知再送手段と、を具備することを特徴とする請求項３に記載のマルチメディアコンテンツ提供システム。
【請求項５】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備し、前記複数の携帯視聴デバイスの各々は、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記コンテンツの配信に必要なデバイス情報を管理しているデバイス情報管理部と、前記スイッチング部による前記インターフェースの切換時に前記コンテンツ送信要求を前記ホームコンテンツサーバに通知するコンテンツ送信要求通知手段と、を具備するマルチメディアコンテンツ提供システムにおけるホームコンテンツサーバであって、
前記複数の携帯視聴デバイスを検出するデバイス検出部と、
前記携帯視聴デバイスを識別する端末ID及び前記デバイス情報を含むコンテンツ送信要求を受けた時に前記コンテンツの送信先の前記携帯視聴デバイスを設定する接続デバイス設定部と、
前記携帯視聴デバイスに送信する前記コンテンツ及び視聴しているシーンを管理する視聴コンテンツ管理部と、
前記コンテンツ送信要求を受けた時に送信先の前記携帯視聴デバイスの前記デバイス情報に基づいて前記コンテンツのパラメータを変更するコンテンツパラメータ制御部と、
を具備することを特徴とするホームコンテンツサーバ。
【請求項６】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備し、前記複数の携帯視聴デバイスの各々は、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記コンテンツの配信に必要なデバイス情報を管理しているデバイス情報管理部と、前記スイッチング部による前記インターフェースの切換時に前記コンテンツ送信要求を前記ホームコンテンツサーバに通知するコンテンツ送信要求通知手段と、現在配信されている前記コンテンツ及び前記シーンを含む前記コンテンツ情報を管理する視聴コンテンツ管理部と、前記コンテンツ送信要求の通知時に前記コンテンツ情報を前記ホームコンテンツサーバに通知するコンテンツ情報通知手段と、を具備するマルチメディアコンテンツ提供システムにおけるホームコンテンツサーバであって、
前記複数の携帯視聴デバイスを検出するデバイス検出部と、
前記携帯視聴デバイスを識別する端末ID及び前記デバイス情報を含むコンテンツ送信要求を受けた時に前記コンテンツの送信先の前記携帯視聴デバイスを設定する接続デバイス設定部と、
前記携帯視聴デバイスに送信する前記コンテンツを管理する視聴コンテンツ管理部と、
前記コンテンツ送信要求を受けた時に送信先の前記携帯視聴デバイスの前記デバイス情報に基づいて前記コンテンツのパラメータを変更するコンテンツパラメータ制御部と、
を具備することを特徴とするホームコンテンツサーバ。
【請求項７】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備し、前記ホームコンテンツサーバは、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツを管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備するマルチメディアコンテンツ提供システムにおける携帯視聴デバイスであって、
前記携帯視聴デバイスが宅内又は宅外から宅外又は宅内に移動したことを検出して第１の切換指示信号又は第２の切換指示信号を生成する宅内宅外移動検出手段と、
前記ホームネットワークシステムと接続するためのホーム無線インターフェースと、
前記公衆無線ネットワークシステムを接続するための公衆無線インターフェースと、
前記ホーム無線インターフェース又は前記公衆無線インターフェースを介してデータ及び信号を送受信する送受信手段と、
前記第１の切換指示信号又は前記第２の切換指示信号に基づいて送受信手段に接続するインターフェースを前記ホーム無線インターフェース又は前記公衆無線インターフェースに切り換えるスイッチング部と、
前記ホームコンテンツサーバに接続された前記複数の携帯視聴デバイスを検出するデバイス検出部と、
前記デバイス情報を管理しているデバイス情報管理部と、
前記スイッチング部による前記インターフェースの切換時に前記コンテンツ送信要求を前記ホームコンテンツサーバに通知するコンテンツ送信要求通知手段と、
を具備することを特徴とする携帯視聴デバイス。
【請求項８】
宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備し、前記ホームコンテンツサーバは、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツ及びシーンを含むコンテンツ情報を管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備するマルチメディアコンテンツ提供システムにおける携帯視聴デバイスであって、
前記携帯視聴デバイスが宅内又は宅外から宅外又は宅内に移動したことを検出して第１の切換指示信号又は第２の切換指示信号を生成する宅内宅外移動検出手段と、
前記ホームネットワークシステムと接続するためのホーム無線インターフェースと、
前記公衆無線ネットワークシステムを接続するための公衆無線インターフェースと、
前記ホーム無線インターフェース又は前記公衆無線インターフェースを介してデータ及び信号を送受信する送受信手段と、
前記第１の切換指示信号又は前記第２の切換指示信号に基づいて送受信手段に接続するインターフェースを前記ホーム無線インターフェース又は前記公衆無線インターフェースに切り換えるスイッチング部と、
前記ホームコンテンツサーバに接続された前記複数の携帯視聴デバイスを検出するデバイス検出部と、
前記デバイス情報を管理しているデバイス情報管理部と、
前記スイッチング部による前記インターフェースの切換時に前記コンテンツ送信要求を前記ホームコンテンツサーバに通知するコンテンツ送信要求通知手段と、
現在配信されている前記コンテンツ及び前記シーンを含む前記コンテンツ情報を管理する視聴コンテンツ管理部と、
前記コンテンツ送信要求の通知時に前記コンテンツ情報を前記ホームコンテンツサーバに通知するコンテンツ情報通知手段と、を具備することを特徴とする携帯視聴デバイス。
【発明の詳細な説明】
【技術分野】
【０００１】
本発明は、家庭に設置された様々なマルチメディアのコンテンツを蓄積したホームコンテンツサーバと、前記コンテンツを再生する携帯視聴デバイスと、を具備するマルチメディアコンテンツ提供システムに関する。
【背景技術】
【０００２】
近年、宅内の情報機器は、ハードディスクレコーダー内蔵のDVDレコーダのように、非常にたくさんの映像コンテンツ及び音楽コンテンツをはじめ、テレビ番組及びインターネットから入手した各種サービス情報を蓄積するホームコンテンツサーバが充実してきている。
【０００３】
マルチメディアコンテンツ提供システムとして、家庭に設置された様々なマルチメディアのコンテンツを蓄積したホームコンテンツサーバと、前記コンテンツを再生する視聴デバイスと、を具備するものが知られている。
【０００４】
また、これらサーバ的な役割を果たす宅内情報機器を含む宅内の機器はホームネットワークシステムに接続し、さらに宅内のホームネットワークシステムはインターネットを介して公衆ネットワークスステムに接続され、宅外の携帯無線端末装置から宅内の機器を制御できるようなサービスがスタートしている。
【０００５】
このようなネットワークシステムにつながった宅内機器を宅外の携帯無線端末装置から制御するマルチメディアコンテンツ提供システムとしては、特許文献１及び特許文献２に記載されたものが挙げられる。
【０００６】
今後、これらの宅内機器と携帯端末装置との連携サービスは、機器の制御及び警告アラームの通知のような制御信号の交換だけでなく、昨今の公衆携帯無線サービスの広帯域化、及び、これまでの屋内で利用されていたIEEE８０２.１１の代表される無線LAN技術を屋外に適用したホットスポットサービスの普及により、広帯域な情報の交換、すなわち、前述した宅内のホームコンテンツサーバに蓄積された映像及び音楽コンテンツのダウンロード／ストリーミング、並びに、画像データなどを含むサービス情報のダウンロードが普及すると考えられる。  
【特許文献１】特開平１１−４７６９３号公報
【特許文献２】特開２００１−３８９３５９号公報
【発明の開示】
【発明が解決しようとする課題】
【０００７】
しかしながら、特許文献１及び特許文献２に記載されたマルチメディアコンテンツ提供システムにおいては、視聴者が携帯無線端末装置を持って宅内又は宅外から宅外又は宅内に移動した時に、視聴者が同じシーンから継続して視聴することができないという問題がある。
【０００８】
本発明は、かかる点に鑑みてなされたものであり、視聴者が携帯無線端末装置を持って宅内又は宅外から宅外又は宅内に移動した時に視聴者が同じシーンから継続して視聴することができるマルチメディアコンテンツ提供システム、ホームコンテンツサーバ及び携帯視聴デバイスを提供することを目的とする。
【課題を解決するための手段】
【０００９】
第１の発明によるマルチメディアコンテンツ提供システムは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記ホームコンテンツサーバが、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツを管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備し、前記複数の携帯視聴デバイスの各々が、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記デバイス情報を管理しているデバイス情報管理部と、前記スイッチング部による前記インターフェースの切換時に前記コンテンツ送信要求を前記ホームコンテンツサーバに通知するコンテンツ送信要求通知手段と、を具備する構成を採る。
【００１０】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００１１】
第２の発明によるマルチメディアコンテンツ提供システムは、第１の発明において、前記携帯視聴デバイスが、前記スイッチング部による前記インターフェースの切換時の直後に切換先の前記ホームネットワークシステム又は前記公衆無線ネットワークシステムに接続不能であった時において接続された後に自動的に前記コンテンツ送信要求を前記ホームコンテンツサーバに通知する通知再送手段と、を具備する構成を採る。
【００１２】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００１３】
第３の発明によるマルチメディアコンテンツ提供システムは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記ホームコンテンツサーバが、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツ及びシーンを含むコンテンツ情報を管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備し、前記複数の携帯視聴デバイスの各々が、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記デバイス情報を管理しているデバイス情報管理部と、前記スイッチング部による前記インターフェースの切換時に前記コンテンツ送信要求を前記ホームコンテンツサーバに通知するコンテンツ送信要求通知手段と、現在配信されている前記コンテンツ及び前記シーンを含む前記コンテンツ情報を管理する視聴コンテンツ管理部と、前記コンテンツ送信要求の通知時に前記コンテンツ情報を前記ホームコンテンツサーバに通知するコンテンツ情報通知手段と、を具備する構成を採る。
【００１４】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００１５】
第４の発明によるマルチメディアコンテンツ提供システムは、第３の発明において、前記携帯視聴デバイスが、前記スイッチング部による前記インターフェースの切換時の直後に切換先の前記ホームネットワークシステム又は前記公衆無線ネットワークシステムに接続不能であった時において接続された後に自動的に前記コンテンツ送信要求及び前記コンテンツ情報を前記ホームコンテンツサーバに通知する通知再送手段と、を具備する構成を採る。
【００１６】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００１７】
第５の発明によるホームコンテンツサーバは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記複数の携帯視聴デバイスの各々が、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記コンテンツの配信に必要なデバイス情報を管理しているデバイス情報管理部と、前記スイッチング部による前記インターフェースの切換時に前記コンテンツ送信要求を前記ホームコンテンツサーバに通知するコンテンツ送信要求通知手段と、を具備するマルチメディアコンテンツ提供システムにおけるホームコンテンツサーバであって、前記複数の携帯視聴デバイスを検出するデバイス検出部と、前記携帯視聴デバイスを識別する端末ID及び前記デバイス情報を含むコンテンツ送信要求を受けた時に前記コンテンツの送信先の前記携帯視聴デバイスを設定する接続デバイス設定部と、前記携帯視聴デバイスに送信する前記コンテンツ及び視聴しているシーンを管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備する構成を採る。
【００１８】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００１９】
第６の発明によるホームコンテンツサーバは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記複数の携帯視聴デバイスの各々が、当該携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記コンテンツの配信に必要なデバイス情報を管理しているデバイス情報管理部と、前記スイッチング部による前記インターフェースの切換時に前記コンテンツ送信要求を前記ホームコンテンツサーバに通知するコンテンツ送信要求通知手段と、現在配信されている前記コンテンツ及び前記シーンを含む前記コンテンツ情報を管理する視聴コンテンツ管理部と、前記コンテンツ送信要求の通知時に前記コンテンツ情報を通知するコンテンツ情報を通知手段と、を具備するマルチメディアコンテンツ提供システムにおけるホームコンテンツサーバであって、前記複数の携帯視聴デバイスを検出するデバイス検出部と、前記携帯視聴デバイスを識別する端末ID及び前記デバイス情報を含むコンテンツ送信要求を受けた時に前記コンテンツの送信先の前記携帯視聴デバイスを設定する接続デバイス設定部と、前記携帯視聴デバイスに送信する前記コンテンツを管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備する構成を採る。
【００２０】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００２１】
第７の発明による携帯視聴デバイスは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記ホームコンテンツサーバが、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツを管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備するマルチメディアコンテンツ提供システムにおける携帯視聴デバイスであって、前記携帯視聴デバイスが宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記デバイス情報を管理しているデバイス情報管理部と、前記スイッチング部による前記インターフェースの切換時に前記コンテンツ送信要求を前記ホームコンテンツサーバに通知するコンテンツ送信要求通知手段と、を具備する構成を採る。
【００２２】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【００２３】
第８の発明による携帯視聴デバイスは、宅内に設置され異なるマルチメディアのコンテンツを蓄積したホームコンテンツサーバと、前記ホームコンテンツサーバから配信される前記コンテンツを再生する複数の携帯視聴デバイスと、前記ホームコンテンツサーバに接続されているホームネットワークシステムと、前記ホームネットワークシステムとインターネットを経由して接続されている公衆無線ネットワークと、を具備するマルチメディアコンテンツ提供システムであって、前記ホームコンテンツサーバが、当該ホームコンテンツサーバに接続された前記複数の携帯視聴デバイスを検出するデバイス検出部と、前記携帯視聴デバイスを識別する端末ID及び前記コンテンツの配信に必要なデバイス情報を含むコンテンツ送信要求を受けた時に前記コンテンツの送信先の前記携帯視聴デバイスを設定する接続デバイス設定部と、前記携帯視聴デバイスに送信する前記コンテンツ及びシーンを含むコンテンツ情報を管理する視聴コンテンツ管理部と、前記コンテンツ送信要求を受けた時に送信先の前記携帯視聴デバイスの前記デバイス情報に基づいて前記コンテンツのパラメータを変更するコンテンツパラメータ制御部と、を具備するマルチメディアコンテンツ提供システムにおける携帯視聴デバイスであって、前記携帯視聴デバイスが、宅内又は宅外から宅外又は宅内に移動したことを検出して第１の切換指示信号又は第２の切換指示信号を生成する宅内宅外移動検出手段と、前記ホームネットワークシステムと接続するためのホーム無線インターフェースと、前記公衆無線ネットワークシステムを接続するための公衆無線インターフェースと、前記ホーム無線インターフェース又は前記公衆無線インターフェースを介してデータ及び信号を送受信する送受信手段と、前記第１の切換指示信号又は前記第２の切換指示信号に基づいて送受信手段に接続するインターフェースを前記ホーム無線インターフェース又は前記公衆無線インターフェースに切り換えるスイッチング部と、前記ホームコンテンツサーバに接続された前記複数の携帯視聴デバイスを検出するデバイス検出部と、前記デバイス情報を管理しているデバイス情報管理部と、前記スイッチング部による前記インターフェースの切換時に前記コンテンツ送信要求を前記ホームコンテンツサーバに通知するコンテンツ送信要求通知手段と、現在配信されている前記コンテンツ及び前記シーンを含む前記コンテンツ情報を管理する視聴コンテンツ管理部と、前記コンテンツ送信要求の通知時に前記コンテンツ情報を前記ホームコンテンツサーバに通知するコンテンツ情報通知手段と、を具備する構成を採る。
【００２４】
この構成によれば、携帯視聴デバイスがホームネットワークシステムのホームコンテンツサーバからコンテンツを宅内又は宅外でダウンロード視聴中に宅外又は宅内に移動した場合でも、自動的に公衆無線ネットワークシステム又はホームネットワークシステムを経由して同一コンテンツを同一シーンから継続して視聴をすることができる。
【発明の効果】
【００２５】
以上説明したように、本発明によれば、視聴者が携帯無線端末装置を持って宅内又は宅外から宅外又は宅内に移動した時に視聴者が同じシーンから継続して視聴することができる。
【発明を実施するための最良の形態】
【００２６】
次に、本発明の実施の形態について、図面を参照して詳細に説明する。
【００２７】
（実施の形態１）
図１は、本発明の実施の形態１に係るマルチメディアコンテンツ提供システムの構成を示す図である。
【００２８】
図１に示すように、本発明の実施の形態１に係るマルチメディアコンテンツ提供システム１００は、ホームネットワークシステム１１０、インターネット１２０、公衆無線ネットワークシステム１３０及びゲートウェイ装置１４０を具備している。
【００２９】
ホームネットワークシステム１１０は、インターネット１２０に接続されている。インターネット１２０は、ゲートウェイ装置１４０を介して公衆無線ネットワークシステム１３０に接続されている。公衆無線ネットワークシステム１３０は、公衆無線基地局１３１を具備している。
【００３０】
ホームネットワークシステム１１０は、ホームコンテンツサーバ１１１、アンテナ１１２、テレビ１１３、ホーム無線基地局１１４、複数の携帯無線端末装置１１５及びホームゲートウェイ装置１１６を具備している。１つの携帯無線端末装置１１５のみが図示されている。ホームネットワークシステム１１０は、複数の視聴デバイスを有するものであり、本発明の実施の形態１においては、複数の視聴デバイスとしてテレビ１１３及び携帯無線端末装置（携帯視聴デバイス）１１５を有している。
【００３１】
アンテナ１１２は、ホームコンテンツサーバ１１１に接続されている。テレビ１１３及びホーム無線基地局１１４は、ホームコンテンツサーバ１１１に接続されている。ホームゲートウェイ装置１１６は、ホームコンテンツサーバ１１１とインターネット１２０との間に接続されている。
【００３２】
ホームコンテンツサーバ１１１は、アンテナ１１２を介してテレビ番組を受信するほか、ホームゲートウェイ装置１１６を介して、インターネット１２０からコンテンツを入手することができる。また、ホームコンテンツサーバ１１１は、入手したテレビ番組及びコンテンツを蓄積することができる。また、ホームコンテンツサーバ１１１は、ホーム無線基地局１１４を介して携帯無線端末装置１１５とデータ及び信号の送受信を行う。ホームコンテンツサーバ１１１に蓄積されたコンテンツは、テレビ１１３及び携帯無線端末装置１１５により宅内でいつでも閲覧及び視聴することができる。
【００３３】
次に、本発明の実施の形態１に係るホームコンテンツサーバ１１１及び携帯無線端末装置１１５について、図面を参照して詳細に説明する。
【００３４】
図２は、本発明の実施の形態１に係るホームコンテンツサーバ１１１の構成を示すブロック図である。図３は、本発明の実施の形態１に係る携帯無線端末装置１１５の構成を示すブロック図である。
【００３５】
図２に示すように、ホームコンテンツサーバ１１１は、コンテンツ蓄積部２０１、チューナー２０２、コンテンツ蓄積制御部２０３、外部メモリリードライト部２０４、コンテンツ送信制御部２０５、コンテンツ変換部２０６、ファイル構成部２０７、データ処理部２０８及び入出力インターフェース２０９を具備している。
【００３６】
コンテンツ蓄積制御部２０３は、チャネル制御部２０３１及び外部メモリ制御部２０３２を具備している。コンテンツ送信制御部２０５は、接続管理部２０５１及びコンテンツ管理部２０５２を具備している。接続管理部２０５１は、デバイス検出部２０５３、接続デバイス設定部２０５４及び接続デバイス切換部２０５５を具備している。コンテンツ管理部２０５２は、視聴コンテンツ管理部２０５６及びコンテンツパラメータ制御部２０５７を具備している。
【００３７】
コンテンツ蓄積制御部２０３は、コンテンツ蓄積部２０１へのコンテンツの蓄積を制御する。コンテンツの１つである放送番組データは、アンテナ１１２で受信されてチューナー２０２を介してコンテンツ蓄積部２０１に取り込まれる。この場合には、チャネル制御部２０３１がコンテンツ蓄積部２０１へのコンテンツの蓄積を制御する。
【００３８】
また、コンテンツは、外部メモリリードライト部２０４により外部メモリ装置から取り込まれる。この場合には、外部メモリ制御部２０３２がコンテンツ蓄積部２０１へのコンテンツの蓄積を制御する。
【００３９】
テレビ１１３又は携帯無線端末装置１１５に送信されるコンテンツは、コンテンツ蓄積部２０１から取り出され、コンテンツ変換部２０６が各視聴デバイスにあったコーデック、フレームレート及びビットレートにコンテンツをトランスコードする。ファイル構成部２０７は、コンテンツ変換部２０６からのコンテンツを各視聴デバイスにあったファイルフォーマット（ASF、MP４など）にフォーマット化する。
【００４０】
データ処理部２０８は、ファイル構成部２０７からのコンテンツのパケット処理を行って入出力インターフェース２０９を介してテレビ１１３又は携帯無線端末装置１１５に送信する。また、データ処理部２０８は、テレビ１１３又は携帯無線端末装置１１５から入出力インターフェース２０９を介して受信する信号を処理してコンテンツ送信制御部２０５に与える。
【００４１】
コンテンツ送信制御部２０５は、コンテンツ変換部２０６及びファイル構成部２０７を制御することによりコンテンツ蓄積部２０１からコンテンツを取り出してテレビ１１３又は携帯無線端末装置１１５に送信させる。
【００４２】
デバイス検出部２０５３は、ホームネットワークシステム１００が具備する視聴デバイスを検出する。接続デバイス設定部２０５４は、コンテンツ送信先の視聴デバイスの設定をするためのものである。接続デバイス切換部２０５５は、デバイス検出部２０５３からの検出信号と、接続デバイス設定部２０５４からの設定信号と、に基づいて送信先の視聴デバイスの切換を行う。
【００４３】
視聴コンテンツ管理部２０５６は、蓄積されているコンテンツのうち現在視聴されているコンテンツと視聴デバイスの管理をする。コンテンツパラメータ制御部２０５７は、送信するコンテンツのコーデック及びファイルフォーマットなどのパラメータの制御を行う。
【００４４】
図３に示すように、携帯無線端末装置１１５は、ホーム無線インターフェース３０１、公衆無線インターフェース３０２、宅内宅外移動検出部３０３、スイッチング部３０４、データ処理部３０５、接続管理部３０６、コンテンツ蓄積部３０７、ファイル処理部３０８、デコード部３０９及びモニター３１０を具備している。
【００４５】
接続管理部３０６は、無線接続管理部３０６１、デバイス検出部３０６２及びデバイス情報管理部３０６３を具備している。
【００４６】
ホーム無線インターフェース３０１は、ＩEEE８０２.１１やUWBなどの無線インターフェースで構成される。公衆無線インターフェース３０２は、PDC、PHS又はIMT-２０００などのセルラー無線インターフェースのほか、IEEE８０２.１１などを利用した公衆無線LANインターフェース（ホットスポット）などで構成される。
【００４７】
宅内宅外移動検出部３０３は、携帯無線端末装置１１５が宅内又は宅外にいるかを検出して第１の切換指示信号又は第２の切換指示信号を生成してスイッチング部３０４及び接続管理部３０６に与える。スイッチング部３０４は、ホーム無線インターフェース３０１及び公衆無線インターフェース３０２を介して受信信号を受ける。スイッチング部３０４は、宅内宅外移動検出部３０３からの第１の切換指示信号又は第２の切換指示信号に基づいてデータ処理部３０５をホーム無線インターフェース３０１又は公衆無線インターフェース３０２のいずれかに接続するかの接続切換を行う。
【００４８】
データ処理部３０５は、送受信するデータ及び信号のパケット処理を行う。データ処理部３０５は、接続管理部３０６からの信号をホーム無線インターフェース３０１又は公衆無線インターフェース３０２を介してホームコンテンツサーバ１１１に送信する。また、データ処理部３０５は、ホーム無線インターフェース３０１又は公衆無線インターフェース３０２を介して受信するコンテンツを処理してコンテンツ蓄積部３０７又はファイル処理部３０８に与える。
【００４９】
無線接続管理部３０６１は、データ処理部３０５とホーム無線基地局１１４及び公衆無線基地局１３１との無線接続を管理する。デバイス検出部３０６２は、ホームネットワークシステム１１０に現在接続されている視聴デバイスを検出するためのものである。デバイス情報管理部３０６３は、対応コーデック、画素数、対応フレームレート、ビットレート、及びファイルフォーマットなどのデバイス情報を管理する。
【００５０】
ファイル処理部３０８は、データ処理部３０５又はコンテンツ蓄積部３０７から受けるコンテンツを、オーディオ、ビデオ、テキスト又は画像などの各メディアのデータ（コンテンツ）に分解する。デコード部３０９は、ファイル処理部３０８からのデータ（コンテンツ）をデコードしてモニター３１０に送る。モニター３１０は、デコード部３０９からのデータ（コンテンツ）を映し出す。
【００５１】
図４は、本発明の実施の形態１に係る携帯無線端末装置１１５における宅内宅外移動検出部３０３の構成を示すブロック図である。
【００５２】
図４に示すように、宅内宅外移動検出部３０３は、受信信号強度比較部３０３１及びインターフェース切換指示部３０３２を具備している。
【００５３】
受信信号強度比較部３０３１は、ホーム無線インターフェース３０１及び公衆無線インターフェース３０２からの受信信号の強度を比較する。受信信号強度比較部３０３１は、ホーム無線インターフェース３０１からの受信信号の強度が一定レベル以下となり、かつ、公衆無線インターフェース３０２からの受信信号の強度が一定レベルより大きくなった場合に第１の比較結果信号を生成してインターフェース切換指示部３０３２に与える。
【００５４】
また、受信信号強度比較部３０３１は、ホーム無線インターフェース３０１からの受信信号の強度が一定レベルより大きくなり、かつ、公衆無線インターフェース３０２からの受信信号の強度が一定レベル以下となった場合に第２の比較結果信号を生成してインターフェース切換指示部３０３２に与える。
【００５５】
インターフェース切換指示部３０３２は、受信信号強度比較部３０３１からの第１の比較結果信号を受けた時にホーム無線インターフェース３０１から公衆無線インターフェース３０２に切り替えることを指示する第１の切換指示信号を生成してスイッチング部３０４及び接続管理部３０６に与える。
【００５６】
また、インターフェース切換指示部３０３２は、受信信号強度比較部３０３１からの第２の比較結果信号を受けた時に公衆無線インターフェース３０２からホーム無線インターフェース３０１に切り替えることを指示する第２の切換指示信号を生成してスイッチング部３０４及び接続管理部３０６に与える。
【００５７】
スイッチング部３０４は、インターフェース切換指示部３０３２から第１の切換指示信号を受けた時に、データ処理部３０５に接続するインターフェースをホーム無線インターフェース３０１から公衆無線インターフェース３０２に切り替える。また、スイッチング部３０４は、インターフェース切換指示部３０３２から第２の切換指示信号を受けた時に、データ処理部３０５に接続するインターフェースを公衆無線インターフェース３０２からホーム無線インターフェース３０１に切り替える。
【００５８】
次に、本発明の実施の形態１に係る携帯無線端末装置１１５における宅内宅外移動検出部３０３の他の例について、図面を参照して説明する。図５は、本発明の実施の形態１に係る携帯無線端末装置１１５における宅内宅外移動検出部３０３の他の例の構成を示すブロック図である。
【００５９】
図５に示すように、宅内宅外移動検出部３０３は、境界信号検出部３０３３及びインターフェース切換指示部３０３４を具備している。
【００６０】
この場合には、宅内宅外の境界位置に境界信号を発生する境界信号発生装置（図示せず）が配置されている必要がある。境界信号検出部３０３３は、宅内又は宅外にいることを記憶する位置記憶部を有している。
【００６１】
境界信号検出部３０３３は、視聴者が携帯無線端末装置１１５を持って宅内から宅外に移動する時に、境界信号を受けた時に第１の移動信号を生成してインターフェース切換指示部３０３４に与える。また、境界信号検出部３０３３は、視聴者が携帯無線端末装置１１５を持って宅外から宅内に移動する時に、境界信号を受けた時に第２の移動信号を生成してインターフェース切換指示部３０３４に与える。
【００６２】
インターフェース切換指示部３０３４は、境界信号検出部３０３３から第１の移動信号を受けた時に前記第１の切換指示信号を生成してスイッチング部３０４及び接続管理部３０６に与える。また、インターフェース切換指示部３０３４は、境界信号検出部３０３３から第２の移動信号を受けた時に前記第２の切換指示信号を生成してスイッチング部３０４及び接続管理部３０６に与える。
【００６３】
スイッチング部３０４は、インターフェース切換指示部３０３４から前記第１の切換指示信号を受けた時に、データ処理部３０５に接続するインターフェースをホーム無線インターフェース３０１から公衆無線インターフェース３０２に切り替える。また、スイッチング部３０４は、インターフェース切換指示部３０３４から前記第２の切換指示信号を受けた時に、データ処理部３０５に接続するインターフェースを公衆無線インターフェース３０２からホーム無線インターフェース３０１に切り替える。
【００６４】
次に、本発明の実施の形態１に係る携帯無線端末装置におけるコンテンツ視聴及び閲覧の継続切換動作について、図１〜図５とともに図６及び図７を参照して詳細に説明する。
【００６５】
図６は、本発明の実施の形態１に係るホームネットワークシステム１００におけるコンテンツの送受信に伴うプロトコルスタックのイメージを説明するための図である。
【００６６】
本発明の実施の形態１においては、L１、L２がホームネットワークシステム１１０及び公衆無線ネットワークシステム１３０に対応しているほか、TCP/IPやUDP/IPの上位層にホームネットワークシステムに接続しているデバイスを自動的に検出し、さらにこれらデバイスの間で上位層のコンテンツのダウンロードのプロトコル及びストリーミングを切り換えるプロトコル以外に宅外の無線環境からホームネットワークシステム１１０に接続する宅外接続プロトコルが実装されている。
【００６７】
次に、宅内においてホームネットワークシステム１１０において携帯無線端末装置１１５が視聴していたコンテンツを、宅外に移動して公衆無線ネットワークシステム１３０において継続してコンテンツを視聴する動作について説明する。
【００６８】
図７は、本発明の実施の形態１に係る携帯無線端末装置におけるコンテンツ視聴及び閲覧の継続切換動作の１例を説明するためのシーケンスを示す図である。
【００６９】
図７に示すように、まず、宅内においてホームネットワーク経由でホームコンテンツサーバからコンテンツをストリーミング視聴している。
【００７０】
そこで、視聴者が携帯無線端末装置１１５を持って宅外に移動を開始すると、宅内宅外移動検出部３０３が携帯無線端末装置１１５の移動を検出する。
【００７１】
宅内宅外移動検出部３０３は、携帯無線端末装置１１５が宅外に移動する時に第１の切換指示信号を生成してスイッチング部３０４及び接続管理部３０６に与える。
【００７２】
接続管理部３０６は、第１の切換指示信号を受けた時に、デバイス情報管理部３０６３により現在ホームコンテンツサーバ１１１に接続してコンテンツのストリーミング動作を行っていることを確認すると、公衆無線ネットワークシステム１３０の接続、及び、宅外からのホームネットワークシステム１１０への接続の動作がそれぞれ行われる。
【００７３】
ここで、デバイス情報管理部３０６３により動作中のアプリケーションが存在しない場合には、上記接続の動作は行われない。また、この接続動作が行われている間も、ホームネットワークシステム１１０でのコンテンツストリーミングは継続できる限り継続する。なお、急激な無線環境悪化で継続できない場合には、ホームネットワークシステム１１０でのコンテンツストリーミングは終了する。
【００７４】
公衆無線ネットワークシステム１３０及びインターネット１２０を経由してホームネットワークシステム１１０に接続した携帯無線端末装置１１５は、図６に示すデバイス検出/デバイス切換プロトコルにより、自動的にホームネットワークシステム１１０に接続しているデバイス一覧を取得し、現在接続しているホームコンテンツサーバ１１１を確認し、宅外からのホームコンテンツサーバ１１１への接続を行う。接続の完了後に、携帯無線端末装置１１５は、ホームコンテンツサーバ１１１に公衆無線ネットワークシステム１３０を経由してコンテンツ送信要求を送る。
【００７５】
このコンテンツ送信要求には、これまでホームネットワークシステム１１０を経由して視聴したコンテンツ及び視聴シーンを検索するため、携帯無線端末装置１１５の端末ID情報を送る必要がある。また、公衆無線ネットワークシステム１３０を経由してコンテンツを送信する場合に、ホームネットワークシステム１１０とは無線環境及びネットワーク環境が異なるため、コンテンツのビット/フレームレートやファイルフォーマットなど、公衆無線ネットワークシステム１３０を経由したコンテンツ配信に適したデバイス情報を送る必要がある。したがって、携帯無線端末装置１１５は、ホーム無線環境下及び公衆無線環境下でのコンテンツパラメータ情報をデバイス情報管理部３０６３で保持していることになる。
【００７６】
前記コンテンツ送信要求を受け取ったホームコンテンツサーバ１１１は、端末ID情報より、視聴コンテンツ管理部２０５６において管理されている現在の携帯無線端末装置１１５にホームネットワークシステム１１０を経由して送信しているコンテンツ及びシーンを確認し、携帯無線端末装置１１５に公衆無線ネットワークシステム１３０を経由してコンテンツ送信許可を通知する。
【００７７】
また、同時に、マルチメディアコンテンツ提供システム１００においては、ホームネットワークシステム１１０を経由してコンテンツの送信を停止し、かつ、コンテンツのパラメータ及びファイルフォーマットを公衆無線ネットワークシステム１３０を経由しての配信に適したものにコンテンツパラメータ制御部２０５７がコンテンツ変換部２０６を制御して変更を開始し、データ処理部２０８で行われるパケット化の送信アドレスも携帯無線端末装置１１５の公衆無線ネットワークシステム１３０の側のアドレスに変更する。そして、携帯無線端末装置１１５は、公衆無線ネットワークシステム１３０を経由してのコンテンツのダウンロードを再開して、同一コンテンツを同一シーンから継続してストリーミングを再生開始することができる。
【００７８】
なお、本発明の実施の形態１は、公衆無線ネットワークシステム１３０からホームネットワークシステム１１０への切換についても適用することができる。この時には、前記第２の切替信号が生成され、公衆無線ネットワークシステム１３０からホームネットワークシステム１１０への切換が開始される。
【００７９】
以上のように、本発明の実施の形態１においては、携帯無線端末装置１１５がホームネットワークシステム１１０のホームコンテンツサーバ１１１からコンテンツを宅内又は宅外でダウンロード視聴中に宅外又は宅内に移動した場合でも、自動的に公衆無線ネットワークシステム１３０又はホームネットワークシステム１１０を経由して同一コンテンツを同一シーンから継続してストリーミング視聴をすることができる。
【００８０】
（実施の形態２）
次に、本発明の実施の形態２について、図面を参照して詳細に説明する。
【００８１】
図８は、本発明の実施の形態２に係るマルチメディアコンテンツ提供システムの携帯無線端末装置の構成を示すブロック図である。本発明の実施の形態２においては、本発明の実施の形態１と同じ構成要素には同じ参照符号が付されてその説明が省略される。
【００８２】
図８に示すように、本発明の実施の形態２に係るマルチメディアコンテンツ提供システム８００は、本発明の実施の形態１において携帯無線端末装置１１５の代わりに携帯無線端末装置８０１を具備するものである。
【００８３】
携帯無線端末装置８０１は、携帯無線端末装置１１５において接続管理部３０６の代わりに接続管理部８０２を具備している。接続管理部８０２は、接続管理部３０６において視聴コンテンツ管理部８０２１を追加してなる。
【００８４】
携帯無線端末装置８０１においては、ホームネットワークシステム１１０を経由してホームコンテンツサーバ１１１のコンテンツを視聴中に、視聴コンテンツ管理部８０２１は、視聴コンテンツ情報及び現在視聴しているシーン（具体的にはコンテンツ開始からのタイムスタンプ）を記憶している。
【００８５】
図９は、本発明の実施の形態２に係る携帯無線端末装置におけるコンテンツ視聴及び閲覧の継続切換動作の１例を説明するためのシーケンスを示す図である。
【００８６】
図９に示すように、まず、宅内においてホームネットワーク経由でホームコンテンツサーバからコンテンツをストリーミング視聴している。
【００８７】
そこで、視聴者が携帯無線端末装置８０１を持って宅外に移動を開始すると、宅内宅外移動検出部３０３が携帯無線端末装置８０１の移動を検出する。
【００８８】
宅内宅外移動検出部３０３は、携帯無線端末装置８０１が宅外に移動する時に第１の切換指示信号を生成してスイッチング部３０４及び接続管理部８０２に与える。
【００８９】
接続管理部８０２は、第１の切換指示信号を受けた時に、デバイス情報管理部３０６３により現在ホームコンテンツサーバ１１１に接続してコンテンツのストリーミング動作を行っていることを確認すると、公衆無線ネットワークシステム１３０の接続、及び、宅外からのホームネットワークシステム１１０への接続の動作がそれぞれ行われる。
【００９０】
ここで、デバイス情報管理部３０６３により動作中のアプリケーションが存在しない場合には、上記接続の動作は行われない。また、この接続動作が行われている間も、ホームネットワークシステム１１０でのコンテンツストリーミングは継続できる限り継続する。なお、急激な無線環境悪化で継続できない場合には、ホームネットワークシステム１１０でのコンテンツストリーミングは終了する。
【００９１】
公衆無線ネットワークシステム１３０及びインターネット１２０を経由してホームネットワークシステム１１０に接続した携帯無線端末装置８０１は、図６に示すデバイス検出/デバイス切換プロトコルにより、自動的にホームネットワークシステム１１０に接続しているデバイス一覧を取得し、現在接続しているホームコンテンツサーバ１１１を確認し、宅外からホームコンテンツサーバ１１１への接続を行う。接続の完了後に、携帯無線端末装置１１５は、ホームコンテンツサーバ１１１に公衆無線ネットワークシステム１３０を経由してコンテンツ送信要求を送る。
【００９２】
このコンテンツ送信要求には、これまでホームネットワークシステム１１０を経由して視聴したコンテンツ及び視聴シーンを検索するため、携帯無線端末装置８０１の端末ID情報を送る必要がある。また、携帯無線端末装置８０１は、視聴コンテンツ管理部８０２１で管理している視聴コンテンツ情報及び視聴シーン情報を送る。また、公衆無線ネットワークシステム１３０を経由してコンテンツを送信する場合に、ホームネットワークシステム１１０とは無線環境及びネットワーク環境が異なるため、コンテンツのビット/フレームレートやファイルフォーマットなど、公衆無線ネットワークシステム１３０を経由したコンテンツ配信に適したデバイス情報を送る必要がある。したがって、携帯無線端末装置１１５は、ホーム無線環境下及び公衆無線環境下でのコンテンツパラメータ情報をデバイス情報管理部３０６３で保持していることになる。
【００９３】
前記コンテンツ送信要求を受け取ったホームコンテンツサーバ１１１は、現在の携帯無線端末装置８０１に送信要求信号に含まれている内容を確認し、携帯無線端末装置８０１に公衆無線ネットワークシステム１３０を経由してコンテンツ送信許可を通知する。また、同時に、ホームコンテンツサーバ１１１は、ホームネットワークシステム１１０を経由してのコンテンツ送信を停止し、かつ、送信すべきコンテンツ及びシーンを検索し、コンテンツのパラメータ及びファイルフォーマットを公衆無線ネットワークシステムを経由しての配信に適したものにコンテンツパラメータ制御部２０５７がコンテンツ変換部２０６を制御して変更を開始し、データ処理部２０８で行われるパケット化の送信アドレスも携帯無線端末装置８０１の公衆無線ネットワークシステム１３０の側のアドレスに変更する。そして、携帯無線端末装置８０１は、公衆無線ネットワークシステム１３０を経由してコンテンツのダウンロードを再開し、同一コンテンツを同一シーンから継続してストリーミングの再生を開始することができる。
【００９４】
上記動作は、宅外に移動後にすぐに公衆無線ネットワークシステム１３０に接続できた場合であるが、視聴者宅の環境によっては、公衆無線ネットワークスステム１３０の無線環境が悪くてすぐに公衆無線ネットワークシステム１３０に接続できない場合が考えられる。この場合に、視聴者が携帯無線端末装置８０１を持って移動するにつれて、ホームネットワークシステム１１０の電波環境も劣化してコンテンツの送信が一時中断することとなる。
【００９５】
このような場合の動作シーケンスを図１０に示す。図１０に示すように、コンテンツ送信が中断後に、携帯無線端末装置８０１は、公衆無線ネットワークシステム１３０の良好な無線エリアに入ると自動的に、又は、視聴者が手動で、コンテンツの再送信要求をスタートさせる。視聴者が手動でスタートさせる場合には、操作性を向上するため、図１１に示すようにコンテンツ視聴が一時中断していることを携帯無線端末装置８０１のモニターに表示し、ワンクリックで一連の動作が行われるようにしておくことが望ましい。
【００９６】
以下の動作については、ホームコンテンツサーバ１１１から携帯無線端末装置８０１へのホームネットワークシステム１１０を経由してのコンテンツ送信がすでに停止されている以外は、前述したシームレスに継続してコンテンツ視聴が行われる場合と同様な動作となる。
【００９７】
なお、本発明の実施の形態２は、公衆無線ネットワークシステム１３０からホームネットワークシステム１１０への切換についても適用することができる。この時には、前記第２の切替信号が生成され、公衆無線ネットワークシステム１３０からホームネットワークシステム１１０への切換が開始される。
【００９８】
以上のように、本発明の実施の形態２においては、携帯無線端末装置８０１がホームネットワークシステム１１０のホームコンテンツサーバ１１１からコンテンツを宅内又は宅外でダウンロード視聴中に宅外又は宅内に移動した場合でも、携帯無線端末装置８０１が視聴コンテンツ情報及び視聴シーン情報をホームコンテンツサーバ１１１に送信し、かつ、コンテンツ送信要求とホームコンテンツサーバ１１１に送ることにより、公衆無線ネットワークシステム１３０又はホームネットワークシステム１１０を経由して同一コンテンツを同一シーンから継続してストリーミング視聴をすることができる。
【００９９】
また、本発明の実施の形態２においては、視聴者が携帯無線端末装置８０１を持って宅外に移動後に、無線環境が悪くてすぐに公衆無線ネットワークシステム１３０に接続できない場合でも、公衆無線ネットワークシステム１３０に接続した際に、簡単に同一コンテンツを同一シーンから再スタートできることができる。
【産業上の利用可能性】
【０１００】
本発明は、視聴者が携帯無線端末装置を持って宅内又は宅外から宅外又は宅内に移動した時に視聴者が同じシーンから継続して視聴することができる効果を有し、マルチメディアコンテンツ提供システム、ホームコンテンツサーバ及び携帯視聴デバイスに有用である。
【図面の簡単な説明】
【０１０１】
【図１】本発明の実施の形態１に係るマルチメディアコンテンツ提供システムの構成を示す図
【図２】本発明の実施の形態１に係るホームコンテンツサーバの構成を示すブロック図
【図３】本発明の実施の形態１に係る携帯無線端末装置の構成を示すブロック図
【図４】本発明の実施の形態１に係る携帯無線端末装置における宅内宅外移動検出部の構成を示すブロック図
【図５】本発明の実施の形態１に係る携帯無線端末装置における宅内宅外移動検出部の他の例の構成を示すブロック図
【図６】本発明の実施の形態１に係るホームネットワークシステムにおけるコンテンツの送受信に伴うプロトコルスタックのイメージを説明するための図
【図７】本発明の実施の形態１に係る携帯無線端末装置におけるコンテンツ視聴及び閲覧の継続切換動作の１例を説明するためのシーケンスを示す図
【図８】本発明の実施の形態２に係るマルチメディアコンテンツ提供システムの携帯無線端末装置の構成を示すブロック図
【図９】本発明の実施の形態２に係る携帯無線端末装置におけるコンテンツ視聴及び閲覧の継続切換動作の１例を説明するためのシーケンスを示す図
【図１０】本発明の実施の形態２に係る携帯無線端末装置におけるコンテンツ視聴及び閲覧の継続切換動作の他の例を説明するためのシーケンスを示す図
【図１１】本発明の実施の形態２に係る携帯無線端末装置を示す略正面図
【符号の説明】
【０１０２】
１００、８００  マルチメディアコンテンツ提供システム
１１０  ホームネットワークシステム
１２０  インターネット
１３０  公衆無線ネットワークシステム
１４０  ゲートウェイ装置
１１１  ホームコンテンツサーバ
１１２  アンテナ
１１３  テレビ
１１４  ホーム無線基地局
１１５、８０１  携帯無線端末装置
１１６  ホームゲートウェイ装置
２０１  コンテンツ蓄積部
２０２  チューナー
２０３  コンテンツ蓄積制御部
２０４  外部メモリリードライト部
２０５  コンテンツ送信制御部
２０６  コンテンツ変換部
２０７  ファイル構成部
２０８  データ処理部
２０９  入出力インターフェース
２０３１  チャネル制御部
２０３２  外部メモリ制御部
２０５１、８０２  接続管理部
２０５２  コンテンツ管理部
２０５３  デバイス検出部
２０５４  接続デバイス設定部
２０５５  接続デバイス切換部
２０５６、８０２１  視聴コンテンツ管理部
２０５７  コンテンツパラメータ制御部
３０１  ホーム無線インターフェース
３０２  公衆無線インターフェース
３０３  宅内宅外移動検出部
３０４  スイッチング部
３０５  データ処理部
３０６  接続管理部
３０７  コンテンツ蓄積部
３０８  ファイル処理部
３０９  デコード部
３１０  モニター
３０６１  無線接続管理部
３０６２  デバイス検出部
３０６３  デバイス情報管理部
３０３１  受信信号強度比較部
３０３２、３０３４  インターフェース切換指示部
３０３３  境界信号検出部
【図１】
2006041761.tif 000003
【図２】
2006041761.tif 000004
【図３】
2006041761.tif 000005
【図４】
2006041761.tif 000006
【図５】
2006041761.tif 000007
【図６】
2006041761.tif 000008
【図７】
2006041761.tif 000009
【図８】
2006041761.tif 000010
【図９】
2006041761.tif 000011
【図１０】
2006041761.tif 000012
【図１１】
2006041761.tif 000013